(57)【要約】【課題】  本発明は、衝撃を受ける突出する構成部分が容易に解除可能なフックによって安全に保持することができるカメラフレームアセンブリと再利用方法を提供する。【解決手段】  カメラフレームアセンブリはフレームを有する。レンズ・マウントは、フレームを保持する一つ以上のフックを有する。バッカーはフレームに対してフックを固定する。カメラの再利用において、フックはアクセスを提供するために最初に固定解除される。次いで、フックはカメラフレームから解除される。解除に続いて、レンズ・マウントはカメラフレームから分離される。バッカーは、レンズ・マウントの光学軸と一致する露出開口部を定義するバフルを含むことができる。【選択図】  図１
2004354991.tif 000002
【特許請求の範囲】
【請求項１】
フレームと、
一つ以上のフックを有するマウントと、
前記フレームに対して前記フックを固定するバッカーと、からなり、
前記フックの各々は前記フレームを保持することを特徴とするカメラフレームアセンブリ。
【請求項２】
光学軸を定義するフレームと、
前記光学軸と一致して配置されたレンズ・マウントと、
前記レンズ・マウントと反対に前記フレームに結合されるバッカーと、からなり、
前記バッカーは前記フレームに対して前記レンズ・マウントを固定することを特徴とするカメラフレームアセンブリ。
【請求項３】
主要な開口部及び前記主要な開口部を交差するフィルム経路を有するフレームと、
前記主要な開口部と一致する撮像レンズモジュールと、
複数の固定部材と、からなり、
前記フレームは前記フィルム経路に向かって延在する複数のスルーホールを有し、
前記撮像レンズモジュールは複数のフックを有し、前記フックは各々それぞれのスルーホール内で前記フレームと嵌合し、
前記固定部材の各々は、それぞれのスルーホールでそれぞれのフックを保持することを特徴とするカメラフレームアセンブリ。
【請求項４】
マウントの部分である、複数のフックを固定解除する段階と、
前記固定解除中に前記フックへのアクセスを提供する段階と、
前記提供段階に続いて、カメラフレームから前記フックを解除する段階と、
前記解除段階に続いて、前記カメラフレームから前記マウントを分離する段階と、からなることを特徴とするカメラの再利用方法。
【発明の詳細な説明】
【技術分野】
【０００１】
本発明は、カメラ及び写真に関し、より詳細には、固定されたレンズ・マウントを有するカメラフレームアセンブリ及び再利用方法に関する。
【背景技術】
【０００２】
使い捨てカメラは、一般的に、再利用段階の容易な分解のために設計されている。一般的に、使い捨てカメラの部品は、分解を容易にする理由で、フックによって共に保持されている。
【０００３】
フックが単一のプラスチック鋳型の成型された部分として提供される使い捨てカメラがある（例えば、特許文献１参照）。フックは、別の部品の端と嵌合する。穴は、フックの根に隣接する。穴を通って挿入されたプローブは、フック上に提供される傾斜表面と接触し、別の部品の端との嵌合から出るフックを曲げる。
【０００４】
カメラは、フックの根に隣接する穴をカバーするラベルを有する使い捨てカメラの分解方法がある（例えば、特許文献２参照）。プローブは、ラベルによって穴に押し込まれ、さらにフックを曲げて２つの部品の嵌合を解除するために隣接するフックの傾斜表面に対して押し込まれる。
【０００５】
上述したこれらのようなフックは、撮像レンズに関連する構成部分を含む使い捨てカメラの様々な部品のために使用されている（例えば、特許文献３及び４参照）。
【０００６】
外部の紙パック内のシェルの組立て後にカメラ・シェルにフックされるレンズ・シェードを有するカメラがある（例えば、特許文献５参照）。レンズ・シェードはカメラの残余部から突出し、衝撃を受けるが、撮像レンズとは分離されている。
【０００７】
望遠レンズのカメラにおいて、撮像レンズの筒はシェルから突出するか、又は、シェル自体が撮像レンズの筒のまわりで突出する。前者の場合、筒は直接的に衝撃を受ける。後者の場合、シェルが曲がる場合、筒は衝撃力を受ける。いずれの場合でも、結果となる力は、撮像レンズとカメラの残余部との間の結合のたわみを引き起こすようになる。
【特許文献１】米国特許第５，２８５，２２９号明細書
【特許文献２】米国特許第６，３８１，４０９号明細書
【特許文献３】米国特許第５，５６８，２１８号明細書
【特許文献４】米国特許第５，７２１，９９５号明細書
【特許文献５】米国特許第４，９０１，０９７号明細書
【特許文献６】米国特許第３，７８２，２５９号明細書
【特許文献７】米国特許第５，２３９，３２６号明細書
【特許文献８】米国特許第５，５１７，２６９号明細書
【特許文献９】米国特許第５，８１５，７５８号明細書
【特許文献１０】米国特許第６，２０８，８０８号明細書
【特許文献１１】米国特許第６，２１７，２３７号明細書
【特許文献１２】特開２０００−１９９９３８号公報
【発明の開示】
【発明が解決しようとする課題】
【０００８】
したがって、 衝撃を受ける突出する構成部分が容易に解除可能なフックによって安全に保持することができるカメラフレームアセンブリと再利用方法を提供することが望ましい。
【課題を解決するための手段】
【０００９】
本発明は、請求項によって定義される。広義の態様において、本発明はフレームを有するカメラフレームアセンブリを提供する。レンズ・マウントはフレームを保持する一つ以上のフックを有する。バッカー（backer）は、フレームに対するフックを固定する。カメラの再利用において、フックはアクセスを提供するために最初に固定解除される。次いで、フックはカメラフレームから解除される。解除に続いて、レンズ・マウントがカメラフレームから分離される。バッカーは、レンズモジュールの光学軸と一致する露出開口部を定義するバフルを含むことができる。
【発明の効果】
【００１０】
突出する構成部分がフックされて且つ固定される改善されたカメラフレームアセンブリ及び再利用方法が提供されることが本発明の有利な効果である。
【発明を実施するための最良の形態】
【００１１】
添付図と共に本発明の実施態様の下記の詳細な記載を参照することによって本発明の上述の特徴と他の特徴、目的、及びそれらに到達する方法はより明白となり、本発明自体は、さらに理解されるだろう。
【００１２】
図１乃至４を参照するに、カメラフレームアセンブリ１０は、フレーム１２、マウント１４、及びバッカー１６を含む。用語としての“カメラフレームアセンブリ”は、本明細書において、完全なカメラ又は不完全なカメラあるいは完全なカメラを形成するために他の部品と組立可能なカメラのサブユニットを意味するように使用される。図４では、バッカーは取り外されて示されており、フレームに関して回転している。点線は、第二フレームに対する解除段階又は取り付け段階におけるバッカーの移動経路を示す。図６では、バッカーはフレームに対してフックされる。マウントはフレームに対してフックされて且つ固定される。図７では、ツールの部分が示される。
【００１３】
図３に示される使い捨てカメラは、対立する正面と背面のカバー１８、２０と、カバー１８と２０との間に位置するフレーム１２とを有する。カバー１８、２０はそれぞれ単一のプラスチックの鋳型であるか、又は部品の集合体であり得る。カバー１８、２０は、フックによって若しくは他のファスナー（示されていない）あるいは接着剤や他の結合等によって互いに結合され、及び／又はフレーム１２に結合される。正面カバー１８はレンズの開口部２２を有する。
【００１４】
好ましくは単一のプラスチック鋳型であるフレーム１２は、一対のフィルムチャンバー２４、２６と、チャンバー２４と２６との間に位置する主要な開口部２８とを提供する。フラッシュユニット３０は、フレーム１２に結合される。フレーム１２はフラッシュユニット３０のためのバッテリー３２を保持する。ビューファインダー３４は、フレーム１２の上部に支持される。フィルム移動のシャッター機能３６は、フレーム１２に結合される。機能３６は、サムホイール３８と、シャッターボタン４０とを含み、機械的なフィルム移動とインパクトシャッター（個別に例示されていない）を提供する。デジタルカメラ（示されていない）の場合、上述したフィルム移動のシャッター機能と関連する特徴は、電子イメージャーによって置き換えられ、制御システム及び画像は取り外し可能であるか又は取り外しできないメモリに記憶される。一般的に本発明は、ここでは写真フィルムを使用する使い捨てカメラに関して記載されるが、同様の考察は、再利用可能なフィルムカメラ並びに使い捨て及び再利用デジタルカメラに当てはまる。同様に、本発明は、静止画ビデオカメラ又は動画ビデオカメラの両カメラに適用可能である。一般的に、本発明は、ここではレンズモジュール４４の部品であるレンズ・マウントに関するが、そのようなレンズ・マウントに制限されない。例えば、マウントは、撮像レンズモジュール４４よりも、むしろビューファインダーアセンブリ（例示されていない）の部品であり得る。いずれの場合においても、本発明は、使用において、フレームに関する意図しない歪みの危険を受ける突出する構成部分において最も有利である。
【００１５】
フレーム１２は、レンズ開口部２２を通過して延在する光学軸４２を定義する。マウント１４は、光学軸４２と一致するフレーム１２に結合される。例示された実施態様において、マウント１４は望遠の撮像レンズモジュール４４の部品である。レンズモジュール４４は、撮像レンズとして作用する２つ以上のレンズ要素（示されていない）を含む。一つ以上のレンズ要素は、レンズバレル４６に設置される。バレル４６は、適所に固定されたままのマウントに関して、延在した位置と格納した位置との間で光学軸４２に沿って移動可能である。
【００１６】
例示された実施態様において、バレル４６は両位置の正面カバー１８内に位置する。別の正面カバーのデザイン（示されていない）は、バレルが延在した位置又は延在及び格納した位置の両位置でレンズ開口部を通過して突出するように使用できる。
【００１７】
望遠レンズモジュールは周知であり、ズームを提供するため、すなわち焦点距離を変化するためにかなり頻繁に使用される。そのようなレンズにおいて、移動可能なバレル４６及びマウント１４は多数の部品から組立できる。
【００１８】
ビューファインダー３４は固定された焦点距離を有することができるが、レンズモジュール４４と同様の手法でズームするビューファインダー３４が好ましい。そのようなビューファインダー及び望遠のビューファインダーとレンズバレルの移動をリンクする手法は当業者に周知である。
【００１９】
撮像レンズモジュール４４は、光学軸４２に沿ってバレル４６の位置を変化するために移動される入力部品４８（図５参照）を有する。入力部品４８は、バレル４６の一部分であり得るか、又はバレル４６を直接的若しくは間接的に移動する個別の構成部分であり得る。入力部品４８は、手動又はモーター（示されていない）によって移動できる。
【００２０】
マウント１４は、上部の四角に切られた角と、光学軸４２に対して垂直な平面を定義するように外側に延在する下部の縁５２とを備える、ほぼ円形であるか楕円形の周辺壁５０を有する。１セットのフック５４は、周辺壁５０に結合される。図に示されたカメラにおいて、フック５４は光学軸４２の反対側に対になって配置され、周辺壁５０及びフック５４は単一のプラスチック鋳型の部品である。フック５４は、次いで付加される個別の部品として成されるが、より複雑であり、現在は好ましくない。取り付けスタッド５６は、２つのフック５４間でマウント１４から突出する。スタッド５６は、フラッシュユニット３０の円形ボードの穴（示されていない）によって受けられ、適所にフラッシュユニット３０を保持することを支援する。
【００２１】
フック５４は、マウント１４をフレーム１２に取り付ける。用語としての“フック”及び同様の用語は、遊離端で横に突出する嵌合部分を有する延長要素を意味するように使用される。
【００２２】
フック５４の嵌合部分５８は、フレーム１２のキャッチ部分６０に嵌合する。取り外しを簡素にするために、フック５４が反り返らないことが現在では好ましい。フック５４は解除段階（下記に詳細に記載）において、わずかに柔軟で、弾性的に曲がる。
【００２３】
カメラは、フレーム１２の長方形の主要な開口部２８の四隅に位置する４つのスルーホール６２を有する。各スルーホール６２は、正面から背面へとフレーム１２を通過して延在する。スルーホール６２は、連続するスロットを形成するように共に結合できるが、互いから好ましく分離できる。
【００２４】
フック５４は、スルーホール６２に関して一致するフレーム１２を保持する。図に示された実施態様において、フレーム１２のキャッチ部分６０は、スルーホール６２内に位置し、各フック５４はそれぞれのスルーホール６２内のキャッチ部分６０を保持する（図６参照）。キャッチ部分は、フック５４の嵌合部分５８を受ける平面６４を有する。平面６４を導くことは、取り付け中に外に向かうフック５４の嵌合部分５８を偏向する傾斜表面６６である。（傾斜された表面６６がフック５４の連続する内向きの移動によって取り除かれた後、フック５４の嵌合部分５８は、弾力的にそれぞれのキャッチ部分６０に対するシートへ内側に折れる。）嵌合部分５８の端は、傾斜表面６６に対して補足してかどをそぐことができるか、又は切り取ることができるか、あるいは同様にフック５４の歪みを容易にすることができる。代替として（示されていない）、キャッチ部分６０は、スルーホール６２よりもフレーム１２の正面又は背面に提供できる。
【００２５】
バッカー１６は、マウント１４と反対のフレーム１２に対して配置される。バッカー１６は、主要な開口部２８に延在するバフル６８を含む。バフル６８の後部マージンは、露出開口部７２を取り巻き且つ定義する露出ゲート７０である。主要な開口部２８のレストは、バッカー１６によってブロックされる。使用中に、フィルム（示されていない）は、露出ゲート７０を越えて、第一フィルムチャンバー２４から第二フィルムチャンバー２６に延在するフィルム経路７４に沿って移動する。フィルムレール７６又は同様のものは、フレーム１２（示されるような）上に提供できるか、又はフィルムが移動中の摩擦を削減するために露出ゲート７０上に提供できる。
【００２６】
バッカー１６は、バフル６８に結合され、バフル６８から外側に向かって側面に延在する一対の反対のフランジ７８を有する。フランジ７８の背面８０は、露出ゲート７０を越えるフィルムの経路で妨げないように形状化される。図面に示されるフランジ７８の背面８０は平らであるが、フランジ７８は代替として窪むことができ、及び／又はフィルムレールを備えて提供できる。
【００２７】
バッカー１６は、バッカー１６から前方に延在する一対の固定部材８２を含む。固定部材８２はマウント１４の各フック５４において提供され、フック５４はレンズモジュール４４の周囲に関して分配されることが好ましい。円形の周囲で、フック５４が均一に分配される場合は便利である。例示された実施態様のように、長方形の周囲で、フック５４を各角に提供することは便利である。例示された実施態様において、一対の固定部材８２は、バッカー１６の各フランジ７８の正面８４から前方に延在する。
【００２８】
図２に示されるように、組立てた場合、マウント１４のフック５４は固定される、つまり、固定部材８２によってしっかりと保持される。それぞれのキャッチ部分６０に対するフック５４の固定部材は、撮像レンズの不一致及び／又は得られた画像の劣化に結びつく光漏出を引き起こすかもしれないマウント１４並びにフレーム１２の相対的な移動を防止する。そのようなマウント１４及びフレーム１２の相対的な移動は、レンズモジュール４４又はカバー１８に対する衝撃がフック５４を曲げる場合に生じ得る。
【００２９】
各固定部材８２は、それぞれのスルーホール６２内に延在し、それぞれのフック５４と嵌合し、それぞれのスルーホール６２内でフレーム１２に対してフック５４を保持する。固定部材８２は、好ましくは、固定部材８２の長さに沿って延在する先細を備えるウェッジ型である。長方形の固定部材８２が使用できるが、好ましくない。ウェッジ型固定部材８２は、それぞれのキャッチ部分６０に向かってフック５４を押すウェッジのように作用する。これは、フック５４がキャッチ部分６０に対して完全に据え付けられ、さらにわずかに形状が崩れ、完全にキャッチ部分６０に対して留まる固定部材によって曲げられるべきフック５４を収容できる保証を支援する。
【００３０】
単一の固定部材８２は数多の固定部材８２よりも使用できる。同様に、固定部材８２はバッカー１６なしで使用できる。それらのアプローチのいずれも好ましくない。フレーム１２に対して強固にマウント１４を保持することが単一の固定部材８２においてさらに困難である。バッカー１６なしで使用される固定部材８２は、個別の部品として個々に処理される。これは、非効率である。
【００３１】
例示された実施態様において、バッカー１６の取り付け部分８６はフレーム１２に固定される。加えて、これは、フック５４上の固定部材８２の固定作用と無関係である。接着剤、音波溶接及び同種のものはフレーム１２にバッカー１６を付加するために使用できるが、しかしながら、バッカー１６がスナップファスナー、フック、又は同種のものを使用して解除式に付加されることが好ましい。添付図に示される実施態様において、取り付け部分８６は一対のラッチフック８８である。ラッチフック８８は同様であるが、マウント１４のフック５４よりも短い。ラッチフック８８はわずかに柔軟である。各ラッチフック８８は、各フランジ７８の一部分に結合されるか、又は各フランジ７８の一部分として形成される。かかる実施態様において、２つの固定部材８２は、各フランジ７８から前方に延在し、さらにラッチフック８８は各対になった固定部材８２の要素間に位置する。各固定部材８２がラッチフック８８の近隣である、この位置は便利である。これは、固定部材８２とラッチフック８８との間のバッカー１６の可能な曲がりを削減することを支援する。固定部材８２を移動することができ得る、このような曲がりは望ましくない。
【００３２】
示された実施態様において、スルーホール６２は、主要な開口部２８のいずれかの側に対になって配置される。各ラッチフック８８のためのレシーバ９０は、対になったスルーホール６２の各要素間の主要な開口部２８のいずれかの側に結合されるか、又はフレーム１２の一部分として形成される。各レシーバ９０は、既に記載したキャッチ部分６０に相当する内部のキャッチ９２（図８に示される）を有する。各ラッチフック８８の遊離端は、マウント１４のフック５４の嵌合部分５８がキャッチ部分６０と嵌合するような手法でそれぞれのキャッチ９２と嵌合する、突出する嵌合部分９４を有する。組立てた場合、ラッチフック８８はバッカー１６から前方に延在し、フック５４はマウント１４から後方に延在する。
【００３３】
固定部材８２の支援に加えて、フランジ７８はまたスルーホール６２を介してフィルム経路７４に入射する光をブロックする。これは、正面カバー１８が遮光性でなくなり、フレーム１２の合致部分が光ロック機能の除去により単純化することができるので、便利である。（光ロック機能９６は、背面カバーとフレーム１２が合致する場合に提供される。図１のフレーム１２において例証された。）例証された実施態様において、フランジ７８及びフレーム１２は、スルーホール６２を取り囲み、フランジ７８の部分に隣接する、対応する光ロック機能９８、１００をそれぞれ有する。光ロック機能９８、１００は、フック５４が固定される場合において共に適合する。光ロック機能９８、１００は、光の入射を阻む回旋状の経路を形成するために互いに噛み合う。当該技術で周知なように、光ロック機能の固い適合が提供できるが、光をブロックする機能において必ずしも必要でない。さらに遮光性を保証するために、光ロック機能１０２、１０４は、ラッチフック８８及びレシーバ９０上に提供できる。代替として、レシーバ９０はブラインド穴（示されていない）であり得る。
【００３４】
図４に例示されるように、固定部材８２はフィルム経路７４に向かう方向で移動可能であり、次いで、フレーム１２から外側に向かって移動可能である。再利用段階において、固定部材８２はフレーム１２のそれぞれのスルーホール６２から移動される。これは固定解除し、フック５４へのアクセスを提供する。フック５４が解除された後、レンズモジュール４４はフレーム１２から分離される。図面に示された実施態様において、固定部材８２はバッカー１６をアンフックすることによって移動され、次いでフレーム１２からバッカー１６を分離する。
【００３５】
図面において、フレーム１２はレンズモジュール４４及びバッカー１６だけが添付されて示される。他の構成部分（フラッシュユニット３０など）は、バッカー１６及びレンズモジュール４４が移動される時にフレーム１２に付加したままであるか、又は便利なように早期に移動できる。
【００３６】
例示された実施態様において、図６の矢印１０６によって示されるように、バッカー１６は後方にバッカー１６をこじあけることによって移動される。代替として、矢印１０６の方向にプローブ（示されていない）が挿入でき、それぞれのキャッチ９２からラッチフック８８が曲がって離れるまでラッチフック８８に対して押される。前述の工程の各々は、各ラッチフック８８において必要であれば繰り返される。別の代替として、バッカー１６の穴（示されていない）は、レシーバ９０に開き、キャッチ９２に向かって開いて提供される。この場合、プローブ又は対になったプローブ（図６の矢印１０８によって示される）は、ラッチフック８８を曲げてバッカー１６を解除するように挿入される。
【００３７】
フック５４は、各スルーホール６２にプローブ１１０を挿入することによって、フレーム１２のそれぞれのキャッチ部分６０から離れて嵌合部分５８を押すことによって解除できる。プローブ１１０及び嵌合部分５８は、補足的な斜角面を有することができるか、又は嵌合部分５８の表面に沿ってさらに容易にプローブ１１０を移動させるためにリボン等を有することができる。２つ又は好ましくは４つのプローブ１１０は、共通ツール１１１に組み合わせできる。すべて４つのフック５４がそれぞれのキャッチ部分６０から同時に曲がって離れることができるので、このアプローチは十分である。導入部１１２は、プローブ１１０間に提供することができる。導入部１１２は、挿入中に一致に対するツール１１１のガイドを支援する露出開口部７２と一致した先細形状を有する。
【００３８】
分解、及び検査と掃除などの他の介在する段階後、レンズモジュール４４及びバッカー１６は、同一のフレーム１２又は別のフレーム１２（以下“第二フレーム”と呼ばれる）に再度取り付けられる。バッカー１６が第二フレーム１２にフックされた場合、モジュールは第二フレーム１２上にフックされ、次いで、適所に固定される。
【００３９】
本発明は、本発明のある好ましい実施態様を特に参照して詳細に記載されたが、本発明の趣旨及び範囲内で様々な修正及び変更が有効であることが理解されるだろう。
【００４０】
本発明の他の特徴
他の特徴が下記の番号付けされた文章に記載される。１．カメラフレームアセンブリは、フレームと、一つ以上のフックを有するマウントと、フレームに対してフックを固定するバッカーとからなり、各フックはフレームを保持する。２．前記バッカーが一つ以上の固定部材を有し、各固定部材がそれぞれのフックを嵌合することを特徴とする文章１のカメラフレームアセンブリ。３．前記固定部材がくさび型であることを特徴とする文章２のカメラフレームアセンブリ。４．前記バッカーが固定部材に近いフレーム及びフックに固定される取り付け部分を有することを特徴とする文章２のカメラフレームアセンブリ。５．前記フレームは前記フックと一致する複数のスルーホールを有することを特徴とする文章１のカメラフレームアセンブリ。６．前記フックはスルーホール内のフレームを保持し、前記バッカーは複数の固定部材を有し、前記固定部材はスルーホール内のフックに嵌合することを特徴とする文章５のカメラフレームアセンブリ。７．光学軸を定義するフレームと、光学軸と一致して配置したレンズ・マウントと、レンズ・マウントと反対にフレームに結合したバッカーとからなり、前記バッカーはフレームに対してレンズ・マウントを固定することを特徴とするカメラフレームアセンブリ。８．前記レンズ・マウントはフレームにフックされることを特徴とする文章７のカメラフレームアセンブリ。９．前記レンズフレームは複数の弾性の折り曲げ可能なフックを有し、各フックはそれぞれのスルーホール内でフレームと嵌合し、前記固定部材はフックの折曲がりをブロックすることを特徴とする文章７のカメラフレームアセンブリ。１０．前記フレームは複数のスルーホールを有し、前記バッカーはスルーホール内に延在する複数の固定部材を有することを特徴とする文章７のカメラフレームアセンブリ。１１．前記バッカーは固定部材と無関係のフレームに固定された取り付け部分を有することを特徴とする文章１０のカメラフレームアセンブリ。１２．前記バッカーはスルーホールで光をロックすることを特徴とする文章１０のカメラフレームアセンブリ。１３．前記バッカーは光学軸と一致する露出開口部を定義するバフルを有することを特徴とする文章７のカメラフレームアセンブリ。１４．前記バッカーに反対でフレームに結合した正面カバーをさらに含み、前記正面カバーは遮光性でないことを特徴とする文章７のカメラフレームアセンブリ。１５．主要な開口部及びその主要な開口部を交差するフィルム経路を有するフレームと、主要な開口部と一致する撮像レンズモジュールと、複数の固定部材とからなり、前記フレームはフィルム経路に向かって延在する複数のスルーホールを有し、前記撮像レンズモジュールは複数のフックを有し、各フックはそれぞれのスルーホール内でフレームと嵌合し、各固定部材はそれぞれのスルーホールのそれぞれのフックを保持することを特徴とするカメラフレームアセンブリ。１６．前記固定部材はフィルム経路に向かう方向で移動可能であることを特徴とする文章１５のカメラフレームアセンブリ。１７．前記固定部材に結合するバフルをさらに含み、前記バフルは主要な開口部に配置され、前記バフルはフィルム経路で露出開口部を定義することを特徴とする文章１５のカメラフレームアセンブリ。１８。マウントの部分である複数のフックを固定解除する段階と、固定解除中にフックへのアクセスを提供する段階と、前記提供段階に続いてカメラフレームからフックを解除する段階と、及び前記解除段階に続いてカメラフレームからマウントを分離する段階とからなることを特徴とするカメラの再利用方法。１９．前記固定解除は、カメラフレームの複数のスルー開口部から複数の固定部材を除去することをさらに含むことを特徴とする文章１８の方法。前記固定解除中にカメラフレームからのバッカーのアンフックをさらに含み、前記バッカーは固定部材を含むことを特徴とする文章１９の方法。２１．前記分離に続いて、前記マウントを第二フレームに取り付けて且つ固定することをさらに含むことを特徴とする文章１８の方法。
【図面の簡単な説明】
【００４１】
【図１】カメラフレームアセンブリの実施態様の背面からの部分的に分解した斜視図である。
【図２】図１のカメラフレームアセンブリの背面からの斜視図である。
【図３】図１のカメラフレームアセンブリを組み込む際のカメラ正面からの部分的に分解した斜視図である。
【図４】図１のカメラフレームアセンブリの背面からの斜視図である。
【図５】フレームからのバッカーの分解、及びレンズ・マウントのフックを解除するフレームの穴に対するツールの挿入を例証する半概略図である。
【図６】図２の線６−６の中心部分に沿って得られる図１のカメラフレームアセンブリの部分的な側断面図である。
【図７】ツールによってフレームからフックを解除する図６と同様の図である。
【符号の説明】
【００４２】
１０    カメラフレームアセンブリ
１２    フレーム
１４    マウント
１６    バッカー
１８    正面カバー
２０    背面カバー
２２    レンズの開口部
２４    一対のフィルムチャンバー
２６    一対のフィルムチャンバー
２８    主要な開口部
３０    フラッシュユニット
３２    バッテリー
３４    ビューファインダー
３６    フィルム移動のシャッター機能
３８    サムホイール
４０    シャッターボタン
４２    光学軸
４４    レンズモジュール
４６    レンズバレル
４８    入力部品
５０    周辺壁
５２    下部の縁
５４    １セットのフック
５６    取り付けスタッド
５８    嵌合部分
６０    キャッチ部分
６２    スルーホール
６４    嵌合部分５８を受ける平面
６６    傾斜表面
６８    バフル
７０    露出ゲート
７２    露出開口部
７４    フィルム経路
７６    フィルムレール
７８    フランジ
８０    フランジ７８の背面
８２    固定部材
８４    フランジ７８の正面
８６    取り付け部分
８８    一対のラッチフック
９０    レシーバ
９２    内部のキャッチ
９４    突出する嵌合部分
９６    光ロック機能
９８    光ロック機能
１００  光ロック機能
１０２  光ロック機能
１０４  光ロック機能
１０６  矢印
１０８  矢印
１１０  プローブ
１１１  共通ツール
１１２  導入部
【図１】
2004354991.tif 000003
【図２】
2004354991.tif 000004
【図３】
2004354991.tif 000005
【図４】
2004354991.tif 000006
【図５】
2004354991.tif 000007
【図６】
2004354991.tif 000008
【図７】
2004354991.tif 000009